(57)【要約】【課題】再生出力するビデオコンテンツを品質と、ビデオコンテンツの再生出力開始までの高速な応答性を両立する「ビデオ再生装置及びビデオ再生方法」提供する。【解決手段】DVDプレイヤの電源がオンされると、レジューム情報が示すHD-DVDレイヤのタイトルＡの再生時刻ｔ１からタイトルＡを再生するための再生前処理に要する時間の見積もり値を求め、見積もり値が所定のしきい値Ｔｈ以上であれば、タイトルＡと同内容を表す (SD)DVDレイヤのビデオタイトルＢのｔ１からの再生を開始すると共に、タイトルＡのｔ１以降の再生を行うための再生前処理を開始し、ビデオタイトルＢの再生がｔ２まで進んだ時点において、タイトルＡのタイトルｔ２以降の再生を行うための再生前処理が完了したならば、ビデオタイトルＢの再生を中止し、タイトルＡのｔ２からの再生を開始する。【選択図】図４
2008078856.tif 000002
【特許請求の範囲】
【請求項１】
第１種のビデオコンテンツと、当該第１種のビデオコンテンツと同じ内容を前記第１種のビデオコンテンツよりも低品質に表した第２種のビデオコンテンツとを記録した記録媒体の再生を行うビデオ再生装置であって、
前記第１種のビデオコンテンツと第２種のビデオコンテンツとを再生する再生処理手段と、
再生制御手段とを有し、
前記再生制御手段は、
前記第１種のビデオコンテンツが再生対象となったときに、前記再生処理手段に前記第２種のビデオコンテンツの再生を開始させると共に、前記第１種のビデオコンテンツの再生前に行わなければならない処理である再生前処理を開始させ、当該第１種のビデオコンテンツの再生前処理が完了したならば、前記再生処理手段に、前記第２種のビデオコンテンツの再生の停止と、再生を停止した再生時刻からの前記第１種のビデオコンテンツの再生を行わせることを特徴とするビデオ再生装置。
【請求項２】
請求項１記載のビデオ再生装置であって、
前記再生制御手段は、前記第１種のビデオコンテンツが再生対象となったときに、当該第１種のビデオコンテンツの再生前処理に要する時間を見積もり、当該時間が所定のしきい値より小さい場合には、前記再生処理手段に当該第１種のビデオコンテンツの再生を開始させ、当該時間が所定のしきい値より小さくない場合にのみ、前記再生処理手段に、前記第２種のビデオコンテンツの再生を開始させると共に、前記第１種のビデオコンテンツの再生前処理を開始させ、当該第１種のビデオコンテンツの再生前処理が完了したならば、前記再生処理手段に、前記第２種のビデオコンテンツの再生の停止と、再生を停止した再生時刻からの前記第１種のビデオコンテンツの再生を行わせることを特徴とするビデオ再生装置。
【請求項３】
第１種のビデオコンテンツと、当該第１種のビデオコンテンツと同じ内容を前記第１種のビデオコンテンツよりも低品質に表した第２種のビデオコンテンツとを記録した記録媒体の再生を行うビデオ再生装置であって、
前記第１種のビデオコンテンツと第２種のビデオコンテンツとを再生する再生処理手段と、
前記再生処理手段が前記第１種のビデオコンテンツの再生中に、当該ビデオ再生装置の電源がオフされたときに、当該時点における前記第１種のビデオコンテンツの再生時刻を表すレジューム情報を保管するレジューム情報生成手段と、
再生制御手段とを有し、
前記再生制御手段は、
当該ビデオ再生装置の電源がオンされたときに、前記再生処理手段に、前記レジューム情報が表す再生時刻からの、前記第２種のビデオコンテンツの再生を開始させると共に、前記第１種のビデオコンテンツの再生前に行わなければならない処理である再生前処理を開始させ、当該第１種のビデオコンテンツの再生前処理が完了したならば、前記再生処理手段に、前記第２種のビデオコンテンツの再生の停止と、再生を停止した再生時刻からの前記第１種のビデオコンテンツの再生を行わせることを特徴とするビデオ再生装置。
【請求項４】
請求項３記載のビデオ再生装置であって、
前記再生制御手段は、当該ビデオ再生装置の電源がオンされたときに、前記第１種のビデオコンテンツの再生前処理に要する時間を見積もり、当該時間が所定のしきい値より小さい場合には、前記再生処理手段に、前記レジューム情報が表す再生時刻からの、当該第１種のビデオコンテンツの再生を開始させ、当該時間が所定のしきい値より小さくない場合にのみ、前記再生処理手段に、前記レジューム情報が表す再生時刻からの、前記第２種のビデオコンテンツの再生を開始させると共に、前記第１種のビデオコンテンツの再生前に行わなければならない処理である再生前処理を開始させ、当該第１種のビデオコンテンツの再生前処理が完了したならば、前記再生処理手段に、前記第２種のビデオコンテンツの再生の停止と、再生を停止した再生時刻からの前記第１種のビデオコンテンツの再生を行わせることを特徴とするビデオ再生装置。
【請求項５】
請求項３または４記載のビデオ再生装置であって、
前記レジューム情報生成手段は、当該ビデオ再生装置の電源がオフされたときに、当該時点における前記第１種のビデオコンテンツの再生時刻についての、第２種のビデオコンテンツのデータの記録位置を前記レジューム情報に含めて保管し、
前記再生制御手段は、前記再生処理手段に、前記レジューム情報に含まれる記録位置のデータから前記第２種のビデオコンテンツの再生を開始させることにより、前記レジューム情報が表す再生時刻からの、前記第２種のビデオコンテンツの再生を開始させることを特徴とするビデオ再生装置。
【請求項６】
請求項１、２、３、４または５記載のビデオ再生装置であって、
前記記録媒体は、(SD)DVDレイヤとHD-DVDレイヤとを有するハイブリッドディスクであり、
前記第１種のビデオコンテンツは、HD-DVDレイヤに記録された、HD DVDビデオ規格に従ったタイトルであり、前記第２種のビデオコンテンツは、(SD)DVDレイヤに記録された(SD)DVDビデオ規格に従ったビデオタイトルであることを特徴とするビデオ再生装置。
【請求項７】
第１種のビデオコンテンツと、当該第１種のビデオコンテンツと同じ内容を前記第１種のビデオコンテンツよりも低品質に表した第２種のビデオコンテンツとを記録した記録媒体の再生を行うビデオ再生装置において、前記第１種のビデオコンテンツと第２種のビデオコンテンツを再生するビデオ再生方法であって、
前記第１種のビデオコンテンツが再生対象となったときに、前記第２種のビデオコンテンツの再生を開始すると共に、前記第１種のビデオコンテンツの再生前に行わなければならない処理である再生前処理を開始するステップと、
当該第１種のビデオコンテンツの再生前処理が完了したときに、前記第２種のビデオコンテンツの再生を停止し、再生を停止した再生時刻からの前記第１種のビデオコンテンツの再生を開始するステップとを有することを特徴とするビデオ再生方法。
【請求項８】
第１種のビデオコンテンツと、当該第１種のビデオコンテンツと同じ内容を前記第１種のビデオコンテンツよりも低品質に表した第２種のビデオコンテンツとを記録した記録媒体の再生を行うビデオ再生装置において、前記第１種のビデオコンテンツと第２種のビデオコンテンツを再生するビデオ再生方法であって、
前記第１種のビデオコンテンツの再生中に、当該ビデオ再生装置の電源がオフされたときに、当該時点における前記第１種のビデオコンテンツの再生時刻を表すレジューム情報を保管するステップと、
前記ビデオ再生装置の電源がオンされたときに、保管している前記レジューム情報が表す再生時刻からの、前記第２種のビデオコンテンツの再生を開始すると共に、前記第１種のビデオコンテンツの再生前に行わなければならない処理である再生前処理を開始するステップと、
前記第１種のビデオコンテンツの再生前処理の完了を待って、前記第２種のビデオコンテンツの再生を停止し、再生を停止した再生時刻からの前記第１種のビデオコンテンツの再生を開始するステップとを有することを特徴とするビデオ再生方法。
【発明の詳細な説明】
【技術分野】
【０００１】
本発明は、選択的に再生可能な二種類のビデオコンテンツを記録した記録媒体の再生を行うビデオ再生装置に関するものである。
【背景技術】
【０００２】
従選択的に再生可能な二種類のビデオコンテンツを記録した記録媒体の再生を行うビデオ再生装置としては、HD（High Deifinition)ビデオコンテンツとSD（Standard Deifinition)ビデオコンテンツとを記録したDVDディスクの再生を行うビデオ再生装置が知られている（たとえば、特許文献１）。
【０００３】
また、(SD)DVDビデオ規格に従ったビデオコンテンツを記録したSD-DVDレイヤと、(SD)DVDビデオ規格よりも高品質にビデオコンテンツを表現することのできるHD DVDビデオ規格に従ったビデオコンテンツを記録したHD-DVDレイヤを有するハイブリッドディスクや、そのようなハイブリッドディスクの再生を行うビデオ再生装置も知られている。なお、このように一つのハイブリッドディスクに記録される(SD)DVDビデオ規格に従ったビデオコンテンツと、HD DVDビデオ規格に従ったビデオコンテンツとは、一般的に、同じ映画などの同じ内容を表すものとなる。
【特許文献１】特開2004-80196号公報
【発明の開示】
【発明が解決しようとする課題】
【０００４】
HD DVDビデオ規格では、ビデオコンテンツの再生の開始に先立って行わなければならない前処理に、従来の(SD)DVDビデオ規格に比べ多くの時間を要する可能性がある。たとえば、HD DVDビデオ規格では、ビデオコンテンツにネットワーク上のコンテンツを組み込むことができるが、このためには、ビデオコンテンツの再生の開始に先立って、ネットワークからコンテンツのダウンロードを完了している必要があり、このようなダウンロードに要する時間は、コンテンツの数やデータサイズや、その時点における通信環境に応じて、長期化する可能性がある。
【０００５】
そして、このような場合、ユーザは、速やかに所望のビデオコンテンツの鑑賞を開始することができないことになる。
一方で、(SD)DVDビデオ規格に従ったビデオコンテンツとHD DVDビデオ規格に従ったビデオコンテンツとを記録したハイブリッドディスクの再生を行う場合に、常に(SD)DVDビデオ規格に従ったビデオコンテンツのみを再生すれば速やかにビデオコンテンツの再生を開始することができるようになるが、このようにすると低品質なビデオコンテンツしかユーザに提示することができなくなってしまう。
【０００６】
そこで、本発明は、高品質なビデオコンテンツと当該ビデオコンテンツと代替性を有する低品質なビデオコンテンツとを記録した記録媒体の再生を行うビデオ再生装置において、できるだけユーザに提示するビデオコンテンツを高品質に保ちつつ、ユーザが、速やかにビデオコンテンツの鑑賞を開始できるようにすることを課題とする。
【課題を解決するための手段】
【０００７】
前記課題達成のために、本発明は、第１種のビデオコンテンツと、当該第１種のビデオコンテンツと同じ内容を前記第１種のビデオコンテンツよりも低品質に表した第２種のビデオコンテンツとを記録した記録媒体の再生を行うビデオ再生装置を、前記第１種のビデオコンテンツと第２種のビデオコンテンツとを再生する再生処理手段と、再生制御手段とを含めて構成し、前記再生制御手段において、前記第１種のビデオコンテンツが再生対象となったときに、前記再生処理手段に前記第２種のビデオコンテンツの再生を開始させると共に、前記第１種のビデオコンテンツの再生前に行わなければならない処理である再生前処理を開始させ、当該第１種のビデオコンテンツの再生前処理が完了したならば、前記再生処理手段に、前記第２種のビデオコンテンツの再生の停止と、再生を停止した再生時刻からの前記第１種のビデオコンテンツの再生を行わせるようにしたものである。
【０００８】
このようなビデオ再生装置によれば、高品質であるために再生前処理に時間を要する第１種のビデオコンテンツを再生する場合に、まず、第１種のビデオコンテンツよりも低品質であるために第１種のビデオコンテンツよりも再生前処理に時間を要さないことが期待できる第２種のビデオコンテンツの再生を開始する。
【０００９】
ここで、第１種のビデオコンテンツと第２種のビデオコンテンツは同じ内容を表すものであるので、このようにすることにより、ユーザは、直ちにビデオコンテンツの鑑賞を開始することができるようになる。
また、このようにして第２種のビデオコンテンツの再生を開始したならば、第２種のビデオコンテンツを再生しつつ、第１種のビデオコンテンツの再生前処理を進める。そして、第１種のビデオコンテンツの再生前処理が完了したならば、第２種のビデオコンテンツの再生を停止させ、再生を停止させた再生時刻からの前記第１種のビデオコンテンツの再生を行う。
【００１０】
よって、再生前処理が完了しだい、より高品質な第１種のビデオコンテンツをユーザに対して提示することができるようになる。また、ユーザは、第１種のビデオコンテンツおよび第２種のビデオコンテンツが共通に表す内容を連続的に視聴することができる。
したがって、本発明によれば、できるだけユーザに提示するビデオコンテンツを高品質に保ちつつ、ユーザが、速やかにビデオコンテンツの鑑賞を開始できるようにすることができる。
ここで、このようなビデオ再生装置は、前記再生制御手段において、前記第１種のビデオコンテンツが再生対象となったときに、当該第１種のビデオコンテンツの再生前処理に要する時間を見積もり、当該時間が所定のしきい値より小さい場合には、前記再生処理手段に、当該第１種のビデオコンテンツの再生を開始させ、当該時間が所定のしきい値より小さくない場合にのみ、前記再生処理手段に、前述した前記第２種のビデオコンテンツの再生以降の処理を行わせるようにしてもよい。
【００１１】
このようにすることにより、第１種のビデオコンテンツの再生前処理が短時間で済む場合には、再生開始後、先頭より、高品質な第１種のビデオコンテンツをユーザに提示することができるようになる。
また、前記課題達成のために、本発明は、第１種のビデオコンテンツと、当該第１種のビデオコンテンツと同じ内容を前記第１種のビデオコンテンツよりも低品質に表した第２種のビデオコンテンツとを記録した記録媒体の再生を行うビデオ再生装置を、前記第１種のビデオコンテンツと第２種のビデオコンテンツとを再生する再生処理手段と、前記再生処理手段が前記第１種のビデオコンテンツの再生中に、当該ビデオ再生装置の電源がオフされたときに、当該時点における前記第１種のビデオコンテンツの再生時刻を表すレジューム情報を保管するレジューム情報生成手段と、再生制御手段とを含めて構成し、前記再生制御手段において、当該ビデオ再生装置の電源がオンされたときに、前記再生処理手段に、前記レジューム情報が表す再生時刻からの、前記第２種のビデオコンテンツの再生を開始させると共に、前記第１種のビデオコンテンツの再生前に行わなければならない処理である再生前処理を開始させ、当該第１種のビデオコンテンツの再生前処理が完了したならば、前記再生処理手段に、前記第２種のビデオコンテンツの再生の停止と、再生を停止した再生時刻からの前記第１種のビデオコンテンツの再生を行わせるようにしたものである。
【００１２】
このようなビデオ再生装置によれば、電源オン時に、前回電源をオフ時に再生していた再生時刻から、第１種のビデオコンテンツを続きを再生するレジューム再生を行う場合にも、できるだけユーザに提示するビデオコンテンツを高品質に保ちつつ、ユーザが、速やかにビデオコンテンツの鑑賞を再開できるようにすることができるようになる。
【００１３】
ここで、このようなビデオ再生装置は、前記再生制御手段は、当該ビデオ再生装置の電源がオンされたときに、前記第１種のビデオコンテンツの再生前処理に要する時間を見積もり、当該時間が所定のしきい値より小さい場合に、前記再生処理手段に、前記レジューム情報が表す再生時刻からの、当該第１種のビデオコンテンツの再生を開始させ、当該時間が所定のしきい値より小さくない場合にのみ、前記再生処理手段に、前述した前記レジューム情報が表す再生時刻からの、前記第２種のビデオコンテンツの再生の開始以降の処理を行うようにしてもよい。
【００１４】
このようにすることにより、レジューム再生を行う場合において、第１種のビデオコンテンツの再生前処理が短時間で済む場合には、再生再開後、先頭より、高品質な第１種のビデオコンテンツをユーザに提示することができるようになる。
また、このようなビデオ再生装置は、前記レジューム情報生成手段において、当該ビデオ再生装置の電源がオフされたときに、当該時点における前記第１種のビデオコンテンツの再生時刻についての、第２種のビデオコンテンツのデータの記録位置を前記レジューム情報に含めて保管し、前記再生制御手段において、前記再生処理手段に、前記レジューム情報に含まれる記録位置のデータから前記第２種のビデオコンテンツの再生を開始させることにより、前記レジューム情報が表す再生時刻からの、前記第２種のビデオコンテンツの再生を開始させるようにしてもよい。
【００１５】
なお、以上の各ビデオ再生装置において、前記記録媒体は、(SD)DVDレイヤとHD-DVDレイヤとを有するハイブリッドディスクであってよく、この場合、前記第１種のビデオコンテンツは、HD-DVDレイヤに記録された、HD DVDビデオ規格に従ったタイトルであり、前記第２種のビデオコンテンツは、(SD)DVDレイヤに記録された(SD)DVDビデオ規格に従ったビデオタイトルであってよい。
【発明の効果】
【００１６】
以上のように、本発明によれば、高品質なビデオコンテンツと当該ビデオコンテンツと代替性を有する低品質なビデオコンテンツとを記録した記録媒体の再生を行うビデオ再生装置において、できるだけユーザに提示するビデオコンテンツを高品質に保ちつつ、ユーザが、速やかにビデオコンテンツの鑑賞を開始できるようにすることができる。
【発明を実施するための最良の形態】
【００１７】
以下、本発明の実施形態を説明する。
図１に本実施形態に係るDVDビデオプレイヤの構成を示す。
図示するようにDVDビデオプレイヤ１は、入力装置２のユーザ操作などに応じて、DVDビデオプレイヤ１に装着されたDVDディスク３に記録されたビデオコンテンツの再生を行い、再生した音声を音声出力装置４に出力し、再生した映像を表示装置５に出力する装置である。ここで、DVDディスク３としては、HD-DVDディスクや、(SD)DVDディスクや、HD-DVDレイヤと(SD)DVDレイヤを有するハイブリッドディスクを再生することができる。
【００１８】
次に、DVDビデオプレイヤ１は、全体制御部１１と再生部１２とを有する。そして、再生部１２は、インターネット６に接続するためのネットワークインタフェース１２１、ファイルを一時的に格納するファイルキャッシュ１２２、不揮発性メモリ１２３、DVDディスク３の読み出しを行うDVDドライバ１２４、グラフィックスデコーダ１２５、第１プレイヤ１２６、第２プレイヤ１２７、合成処理部１２８とを備えている。
【００１９】
このような構成において、DVDビデオプレイヤ１において、(SD)DVDビデオ規格に従ったビデオコンテンツの再生は、次のように行われる。
すなわち、全体制御部１１は、DVDドライバ１２４を介して、ハイブリッドディスクの(SD)DVDレイヤまたは(SD)DVDディスクより、ビデオコンテンツの再生制御情報であるナビゲーションデータを読み出し、ナビゲーションデータや入力装置２のユーザ操作に応じて定まる再生シーケンスに従って、ハイブリッドディスクの(SD)DVDレイヤまたは(SD)DVDディスクに記録されているビデオコンテンツを第２プレイヤ１２７に再生させると共に、第２プレイヤ１２７が再生したビデオコンテンツを合成処理部１２８に音声出力装置４と表示装置５に出力させる。
【００２０】
次に、このようなDVDビデオプレイヤ１において、HD DVDビデオ規格に従ったビデオコンテンツの再生は、次のように行われる。
すなわち、全体制御部１１は、DVDドライバ１２４を介して、ハイブリッドディスクのHD-DVDレイヤまたはHD-DVDディスクより、ビデオコンテンツの再生制御情報であるプレイリストを読み出し、プレイリストで定義されている、ビデオコンテンツに組み込むべきコンテンツのファイルを、ハイブリッドディスクのHD-DVDレイヤまたはHD-DVDディスクより読み出してファイルキャッシュ１２２に格納する。また、プレイリストで定義されている、ビデオコンテンツに組み込むべきコンテンツのファイルを、ネットワークインタフェース１２１を介してインターネット６上よりダウンロードしファイルキャッシュ１２２に格納する。そして、プレイリストや入力装置２のユーザ操作に応じて定まる再生シーケンスに従って、ハイブリッドディスクのHD-DVDレイヤまたはHD-DVDディスクに記録されているビデオコンテンツを第１プレイヤ１２６に再生させると共に、ファイルキャッシュ１２２に格納されているファイルのコンテンツを、第２プレイヤ１２７やグラフィックスデコーダ１２５に再生させる。そして、合成処理部１２８に、第１プレイヤ１２６の出力と、第２プレイヤ１２７の出力と、グラフィックスデコーダ１２５の出力とを合成させ、音声出力装置４と表示装置５へ出力させることにより、ファイルキャッシュ１２２に格納したコンテンツのファイルを組み込んだ形態でビデオコンテンツを再生出力する。
【００２１】
ここで、ビデオコンテンツの再生の単位は、HD DVDビデオ規格ではタイトルとなり、(SD)DVDビデオ規格ではビデオタイトルとなる。
次に、DVDビデオプレイヤ１の、ハイブリッドディスクの電源オン時のレジューム再生動作について説明する。
ここで、電源オン時のレジューム再生とは、前回電源オフした時点に再生していた箇所からビデオコンテンツの再生を再開する動作である。
さて、全体制御部１１は、このハイブリッドディスクの電源オン時のレジューム再生のために、レジューム情報生成処理と、再生開始処理とを行う。
まず、レジューム情報生成処理について説明する。
ここで、このレジューム情報生成処理は、DVDプレイヤの再生動作中、常時実行される処理である。
図２に、このレジューム情報生成処理の手順を示す。
図示するように、この処理では、HD-DVDレイヤ再生中は（ステップ２０２）、以下の処理を行う。
すなわち、HD-DVDレイヤの新たなタイトルが再生対象となったならば（ステップ２０６）、(SD)DVDレイヤに記録されている、再生対象となったHD-DVDレイヤのタイトルに相当するビデオタイトルのナビゲーションデータを取得する（ステップ２０８）。ここでは、再生対象となったHD-DVDレイヤのタイトルと総再生時間が一致する、(SD)DVDレイヤのビデオタイトルを、再生対象となったHD-DVDレイヤのタイトルに相当するビデオタイトルとする。ここで、HD-DVDレイヤのタイトルの総再生時間は、当該ビデオタイトルのプレイリストのTMAPに当該タイトルのtitleDuration=として記述されており、(SD)DVDレイヤのビデオタイトルの総再生時間は、当該ビデオタイトルがOne_Sequential_PGC_Titleである場合に、当該ビデオタイトルのPGCのPGCIにPGC_PB_TMとして記述されている。
【００２２】
そして、以降は、再生対象のタイトルが変化するまで、現在のタイトル内再生時刻に等しい、ビデオタイトル内再生時刻に再生されるべき(SD)DVDレイヤのデータの記録位置をナビゲーションデータに基づいて算出し（ステップ２１０）、算出した記録位置と取得したナビゲーションデータをSDレイヤレジューム情報として不揮発性メモリ１２３に保管すると共に、現在のHD-DVDレイヤのタイトルの再生位置を示すHDレイヤレジューム情報を不揮発性メモリ１２３に保管する処理（ステップ２１２）を繰り返し行う。ここで、(SD)DVDレイヤのビデオタイトルの各再生時刻に再生されるべきデータの記録位置は、当該ビデオタイトルがOne_Sequential_PGC_Titleである場合に、ナビゲーションデータの当該ビデオタイトルのVTS_TMAPTより求めることができる。なお、再生対象となったHD-DVDレイヤのタイトルに相当するビデオタイトルがOne_Sequential_PGC_Titleでないために、ステップ２０８のナビゲーションデータの取得や、ステップ２１０の(SD)DVDレイヤのデータの記録位置の算出に失敗した場合には、ステップ２１２ではHDレイヤレジューム情報のみを保管する。
【００２３】
一方、レジューム情報生成処理では、(SD)DVDレイヤ再生中には（ステップ２０４）、以下の処理を行う。
すなわち、(SD)DVDレイヤの新たなビデオタイトルが再生対象となったならば（ステップ２１４）、HD-DVDレイヤに記録されている、再生対象となった(SD)DVDレイヤのビデオタイトルに相当するタイトルのプレイリストを取得する（ステップ２１６）。
そして、以降は、再生対象のタイトルが変化するまで、現在のビデオタイトル内再生時刻と取得したプレイリストの識別をHDレイヤレジューム情報として不揮発性メモリ１２３に保管すると共に、現在の(SD)DVDレイヤの再生位置を示す(SD)DVDレジューム情報を不揮発性メモリ１２３に保管する処理（ステップ２１８）を繰り返し行う。
【００２４】
以上、全体制御部１１が行うレジューム情報生成処理について説明した。
なお、以上のレジューム情報生成処理は、DVDプレイヤの電源のオフ操作がされたときに、実際の電源のオフ前に実行する処理として構成するようにしてもよい。すなわち、この場合には、電源のオフ操作発生時に、HD-DVDレイヤ再生中であれば、再生中のタイトルに対応するビデオタイトルのナビゲーションデータを取得し、ステップ２１０、ステップ２１２の処理を行い、電源のオフ操作発生時に、(SD)DVDレイヤ再生中であれば、再生中のビデオタイトルに対応するタイトルのプレイリストを取得し、ステップ２１８の処理を行うようにする。
【００２５】
次に、全体制御部１１が行う再生開始処理について説明する。
ここで、この再生開始処理は、DVDプレイヤの電源がオンされたときに、前回の電源オフ時に装着されていたハイブリッドディスクが、そのままDVDプレイヤに装着されている場合に実行される処理である。
図３に、この再生開始処理の手順を示す。
図示するように、この処理では、まず、不揮発性メモリ１２３にSDレイヤレジューム情報とHDレイヤレジューム情報の双方が保管されているかどうかを調べ（ステップ３０２）、SDレイヤレジューム情報とHDレイヤレジューム情報とのいずれかが保管されていなければ、不揮発性メモリ１２３にHDレイヤレジューム情報が保管されているかどうかを調べ（ステップ３１８）、保管されていれば、再生部１２を制御して、HDレイヤレジューム情報が示す再生位置から、HD-DVDレイヤのタイトルの再生を開始し（ステップ３２０）、再生開始処理を終了する。
【００２６】
ここで、HDレイヤレジューム情報として、タイトルのプレイリストとビデオタイトル内再生時刻が保管されている場合には、当該プレイリストによって定義されるタイトルの、ビデオタイトル内再生時刻と一致するタイトル内再生時刻に再生されるべきデータ位置がHDレイヤレジューム情報が示す再生位置となる。
【００２７】
一方、ステップ３１８で、HDレイヤレジューム情報も保管されていないと判定された場合には、再生部１２を制御して、HD-DVDレイヤの再生先頭位置からHD-DVDレイヤの再生を開始する（ステップ３２２）。そして、再生開始処理を終了する。
【００２８】
一方、ステップ３０２において、不揮発性メモリ１２３にSDレイヤレジューム情報とHDレイヤレジューム情報の双方が保管されていると判定された場合には、HDレイヤレジューム情報が示す再生位置から、HD-DVDレイヤのタイトルの再生を開始するために行わなければならない再生前処理に要する時間を見積もる（ステップ３０４）。ここで、この再生前処理には、前述の通り、再生しようとするタイトルに組み込むコンテンツのファイルの、HD-DVDレイヤからのファイルキャッシュ１２２への読み込みや、インターネット６からのファイルキャッシュ１２２へのダウンロードなどが含まれる。したがって、この見積もりは、ファイルキャッシュに格納するファイルの数やデータサイズの他、インターネット６からダウンロードするファイルが存在する場合には、現在のネットワークインタフェース１２１とインターネットもしくはダウンロード元のサーバとの間の通信状態などを考慮して行う。
【００２９】
そして、見積もった時間が、予め定めたしきい値Th（たとえば、１５秒）以上であるかどうかを調べ（ステップ３０６）、しきい値Th以上でなければ、再生部１２を制御して、HDレイヤレジューム情報が示す再生位置からの、HD-DVDレイヤのタイトルの再生を開始する（ステップ３０８）。そして、再生開始処理を終了する。
【００３０】
一方、見積もった時間が、予め定めたしきい値Th以上であれば、SDレイヤレジューム情報が示す再生位置より、SD-DVDレイヤのビデオタイトルの再生を開始する（ステップ３１０）。ここで、SDレイヤレジューム情報として、ビデオタイトルのナビゲーションデータと記録位置が保管されている場合には、当該ナビゲーションデータによって再生が制御されるビデオタイトルの、当該記録位置に記録されているデータが、SDレイヤレジューム情報が示す再生位置のデータとなる。
【００３１】
また、SD-DVDレイヤのビデオタイトルの再生を開始したならば（ステップ３１０）、HDレイヤレジューム情報が示すが示す再生位置以降の、HD-DVDレイヤのタイトルの再生を開始するために行わなければならない再生前処理を開始する（ステップ３１２）。
そして、現在再生中のビデオタイトルのビデオタイトル内再生時刻まで再生前処理が進んだならば（ステップ３１４）、再生部１２を制御して、SD-DVDレイヤのビデオタイトルの再生を中止し、当該タイトル内再生時刻からのHD-DVDレイヤのタイトルの再生を開始する（ステップ３１６）。そして、再生開始処理を終了する。
【００３２】
以上、本発明の実施形態について説明した。
ここで、以上のようなレジューム情報生成処理と再生開始処理による、ハイブリッドディスクのレジューム再生動作の動作例を図４に示す。
図示するように、HD-DVDレイヤの映画ＸのタイトルＡをｔ０から再生中に、タイトル内再生時刻がｔ１まで進んだ時点で、DVDプレイヤの電源がオフされると、この時点において、上述のレジューム情報生成処理によって不揮発性メモリ１２３には、タイトル内再生時刻ｔ１において再生されるべきタイトルＡの再生位置を示すHDレイヤレジューム情報と、(SD)DVDレイヤのタイトルＡと同じ映画ＸのビデオタイトルＢのビデオタイトル内再生時刻ｔ１において再生されるべき再生位置を示すSDレイヤレジューム情報が保管される。
【００３３】
その後、DVDプレイヤの電源が再度オンされると、上述した再生開始処理によって、不揮発性メモリ１２３に保管されているHDレイヤレジューム情報が示すタイトル内再生時刻ｔ１に対応する再生位置からHD-DVDレイヤのタイトルＡを再生するための再生前処理に要する時間が見積もられ、この時間が所定のしきい値Ｔｈ以上であれば、図示するように、不揮発性メモリ１２３に保管されているSDレイヤレジューム情報に基づいて、(SD)DVDレイヤのビデオタイトルＢのビデオタイトル内再生時刻ｔ１に対応する再生位置からの再生が開始される。ここで、(SD)DVDレイヤのビデオタイトルは、再生前処理に多くの時間を要さないので、このビデオタイトルＢは、速やかに、その再生、出力が開始される。
【００３４】
また、これと並行して、HD-DVDレイヤのタイトルＡのタイトル内再生時刻ｔ１以降の再生を行うための再生前処理が行われる。ここで、この再生前処理において行うハイブリッドディスクのHD-DVDレイヤからのタイトルＡの再生前処理に必要となるデータの読み出しは、図示するように、ハイブリッドディスクの(SD)DVDレイヤのビデオタイトルＢのデータの読み出しを行っていない空き時間を利用して間欠的に行う。
【００３５】
そして、(SD)DVDレイヤのビデオタイトルＢの再生がビデオタイトル内再生時刻ｔ２まで進んだ時点において、HD-DVDレイヤのタイトルＡの、ビデオタイトル内再生時刻ｔ２に一致するタイトル内再生時刻ｔ２以降の再生を行うための再生前処理が完了したならば、(SD)DVDレイヤのビデオタイトルＢの再生が中止され、HD-DVDレイヤのタイトルＡのタイトル内再生時刻ｔ２からの再生が開始される。
【００３６】
ここで、HD-DVDレイヤのタイトルＡのタイトル内再生時刻ｔ２から再生内容は、(SD)DVDレイヤのビデオタイトルＢのビデオタイトル内再生時刻ｔ２までの再生内容が表す映画Ｘの部分の続きの部分となる。したがって、このように、再生を、(SD)DVDレイヤのビデオタイトルＢからHD-DVDレイヤのタイトルＡに切り替えても、ユーザは、映画Ｘを内容の途切れなく連続的に視聴することができる。
【００３７】
以上、本発明の実施形態について説明した。
ところで、以上の実施形態において図３に示した再生開始処理は、ステップ３０４、３０６、３０８の処理を廃し、HD-DVDレイヤの再生対象となるタイトルの再生前処理に要する時間に関わらずに、不揮発性メモリ１２３にSDレイヤレジューム情報とHDレイヤレジューム情報の双方が保管されている場合には（ステップ３０２）、ステップ３１０の、SDレイヤレジューム情報が示す再生位置よりのSD-DVDレイヤのビデオタイトルの再生開始以降の処理を行うようにしてもよい。
【００３８】
また、以上の実施形態に係る再生開始処理で示したような再生制御は、ハイブリッドディスクのレジューム再生動作を行う場合のみならず、ハイブリッドディスクの再生を新たに開始する場合や、ハイブリッドディスクのHD-DVDレイヤのタイトルの再生を新たに開始する場合などにも同様に適用することができる。
【００３９】
すなわち、これらの場合には、ハイブリッドディスクの再生を新たに開始するときや、ハイブリッドディスクのHD-DVDレイヤのタイトルの再生を新たに開始するときに、HD-DVDレイヤの再生対象となるタイトルの再生前処理に要する時間を見積もり、当該時間が所定のしきい値より小さければ、当該HD-DVDレイヤの再生対象となるタイトルの再生をタイトル先頭より開始するようにする。一方、見積もった時間が所定のしきい値よりも長時間を要する場合には、HD-DVDレイヤの再生すべきタイトルに対応する(SD)DVDレイヤのビデオタイトルの再生をビデオタイトル先頭より行いつつ、HD-DVDレイヤの再生すべきタイトルの再生前処理を行って、現在のビデオタイトル内再生時刻に一致するタイトル内再生時刻以降の再生を行うための再生前処理が完了したならば、ビデオタイトルの再生を中止し、再生を完了したビデオタイトル内再生時刻に一致するタイトル内再生時刻から、HD-DVDレイヤの再生すべきタイトルの再生を開始するようにする。なお、この場合も、ハイブリッドディスクの再生を新たに開始するときや、ハイブリッドディスクのHD-DVDレイヤのタイトルの再生を新たに開始するときに、HD-DVDレイヤの再生対象となるタイトルの再生前処理に要する時間に関わらずに、前述したHD-DVDレイヤの再生すべきタイトルに対応する(SD)DVDレイヤのビデオタイトルの再生以降の処理を行うようにしてもよい。
【００４０】
なお、以上の実施形態で示した再生制御は、ハイブリッドディスク以外の高品質なビデオコンテンツと当該ビデオコンテンツと代替性を有する低品質なビデオコンテンツとを記録した記録媒体の再生を行う、任意のビデオ再生装置に同様に適用することができる。
以上のように、本実施形態によれば、高品質なビデオコンテンツと当該ビデオコンテンツと代替性を有する低品質なビデオコンテンツとを記録した記録媒体の再生を行うビデオ再生装置において、できるだけユーザに提示するビデオコンテンツを高品質に保ちつつ、ユーザが、速やかにビデオコンテンツの鑑賞を開始できるようになる。
【図面の簡単な説明】
【００４１】
【図１】本発明の実施形態に係るDVDプレイヤの構成を示すブロック図である。
【図２】本発明の実施形態に係るレジューム情報生成処理を示すフローチャートである。
【図３】本発明の実施形態に係る再生開始処理を示すフローチャートである。
【図４】本発明の実施形態に係るDVDプレイヤのレジューム再生動作例を示す図である。
【符号の説明】
【００４２】
１…DVDビデオプレイヤ、２…入力装置、３…DVDディスク、４…音声出力装置、５…表示装置、６…インターネット、１１…全体制御部、１２…再生部、１２１…ネットワークインタフェース、１２２…ファイルキャッシュ、１２３…不揮発性メモリ、１２４…DVDドライバ、１２５…グラフィックスデコーダ、１２６…第１プレイヤ、１２７…第２プレイヤ、１２８…合成処理部。
【図１】
2008078856.tif 000003
【図２】
2008078856.tif 000004
【図３】
2008078856.tif 000005
【図４】
2008078856.tif 000006